(57)【要約】【課題】  糊付機械本体の強度を弱くすることなく、洗浄作業時には簡単な操作で離脱することができ、尚且つ、糊付作業時には確実に固定することのできる後面側ツメステーを有する壁紙糊付機を得る。【解決手段】  糊桶内の糊を糊付ロールで壁装材の裏面に連続的に塗布する壁紙糊付機の複数のロールのうち、糊付ロールと糊付ロールによって前記壁装材の裏面に塗布された糊を均す均しロールとの間に配設され、糊付けされた壁装材と糊付ロールとの再付着を防止する壁装材引き離し用のツメと、引き離し用のツメを支持する糊付ロール用ツメステーとを供えた壁紙糊付機において、糊付ロール用ツメステーの両端部を下方から支持する一対の支持受部が前記本体部に配設され、均しロールの両端部を前記本体部に着脱可能に支持する一対の支持部材の各々が、ツメステーの支持受部を各々上方から覆う突設片を備え、一対の支持受部に支持されたツメステーの両端部が各突設片によって上方から固定されてなるもの。【選択図】      図１
2005041154.tif 000002
【特許請求の範囲】
【請求項１】
本体部内に配設された複数のロールによりシート状の壁装材を前記本体部の後部から内部に引き入れるとともに、本体内部の所定経路に沿って移動させ、前記本体部下方に配設された糊桶内の糊を糊付ロールで前記壁装材の裏面に連続的に塗布する壁紙糊付機であって、前記複数のロールのうち、前記糊付ロールと、該糊付ロールによって前記壁装材の裏面に塗布された糊を均す均しロールとの間に配設され、糊付けされた前記壁装材と前記糊付ロールとの再付着を防止する壁装材引き離し用のツメと、該引き離し用のツメを支持する糊付ロール用ツメステーとを供えた壁紙糊付機において、
前記糊付ロール用ツメステーの両端部を下方から支持する一対の支持受部が前記本体部に配設され、
前記均しロールの両端部を前記本体部に着脱可能に支持する一対の支持部材の各々が、前記ツメステーの支持受部を各々上方から覆う突設片を備え、
前記一対の支持受部に支持されたツメステーの両端部が前記各突設片によって上方から固定されてなることを特徴とする壁紙糊付機。
【請求項２】
前記支持受部が糊付機本体部の側壁に固定された凹部状の部材を含むことを特徴とする請求項１に記載の壁紙糊付機。
【請求項３】
前記均しロールの下流側に糊付けされた壁装材と前記均しロールとの再付着を防止する壁装材引き離し用のツメと、該引き離し用のツメを支持する均しロール用ツメステーとを更に備え、
前記均しロール用ツメステーの両端部が前記支持部材によって支持されていることを特徴とする請求項１又は２に記載の壁紙糊付機。
【発明の詳細な説明】
【技術分野】
【０００１】
本発明は、例えば屋内の壁面にシート状壁装材を貼付するに際して長尺の壁装材の裏面に糊を連続的に塗布する壁紙糊付機に関するものである。
【背景技術】
【０００２】
図３は従来の自動壁紙糊付機の全体構成を示す側面透視図である。図３に示す通り、本自動壁紙糊付機３１は、糊を収容する糊桶３４が設置される下部構体３２と、この下部構体３２に対して開閉可能に設置された上部構体３３と、下部構体３２を支持する脚部３３１とから主に構成される。
【０００３】
下部構体３２内には、シート状壁装材（以下、クロスと記す）Ｃを糊付機本体３１内に後面側から引き入れて糊付ロール３８へ送り出し取り込むための全幅の送り出しロール３６と、糊桶３４内の糊を糊付ロール３８に転写する糊上げロール３５と、クロス裏面に糊を塗布する糊付ロール３８と、この糊付ロール３８に接して糊量を調節するドクターロール３７と、クロスＣに適度な張力を与えて前部方向へ送り出す均しロール３９とが互いにギアを介して連動可能にかつ所定間隔を持って平行に配列されるように糊桶３４の側板又はこれと平行な軸受板に軸支されている。
【０００４】
一方、上部構体３３内には、送り出しロール３６と対になってピンチロールを構成する上側ピンチロール３１０と、下部構体３２内に配列されているロールとギアを介して連動されクロスＣに糊付機本体前部方向への送り出し張力を付与するためのドライブロール３１２と、これら上側ピンチロール３１０とドライブロール３１２との間でクロスＣを上から押さえ込む押さえステー３１１とが、互いに所定間隔で平行に配列されるように、それぞれ上部構体３３の本体両側軸受フレームに軸支されている。また、下部構体３２の後面側には、クロスの両側縁部を裁断するオーバーカッター（上刃）４２とアンダーカッター（下刃）４３とを備えたスリッター４１が着脱可能に取り付けられている。
【０００５】
また、下部構体３２の両側縁部を支持する一対の脚部３３１には、クロス受けブラケット３４２の先端部に支持されたクロス芯棒３４１に中心軸を通された原反ロール３４０から繰り出されるクロスＣに当接して糊付機本体の引き込み口での引き込み荷重を与える第１のテンションバー３３２が橋架されている。そして、その上方には、同じくクロスＣに当接して引き込み口での引き込み荷重を与える第２のテンションバー３３３が橋架されている。
【０００６】
均しロール３９の前後には、糊付けされたクロスＣが糊付ロール３８に巻き込まれないように、ツメ４６を支持する後面側ツメステー４７（壁装材引き離し第１ステー）が取り付けられ、更に、前記均しロール３９及び糊付機本体前面に付着しないようにツメ４８を支持する前面側ツメステー４９（壁装材引き離し第２ステー）が取り付けられている。
【０００７】
これら２つのツメステー４７，４９の内、均しロール３９にカットテープを巻つける場合や、糊付け作業終了後の洗浄の際に、均しロール３９及び前面側ツメステー４９をそれぞれ別々に下部構体３２から取り外す必要があり、その取り外し作業の作業性の向上、また、均しロール３９及び前面側ツメステー４９の下部構体３２への取付のための支持部材の部品数の減少等のために、均しロール３９と前面側ツメステー４９とを一体的に本体部３１内から着脱可能にすることができる壁紙糊付機が提案されている（例えば、特許文献１参照）。
【０００８】
【特許文献１】特開平８−１０５６号公報
【発明の開示】
【発明が解決しようとする課題】
【０００９】
均しロールと前面側ツメステーとを一体的に本体部内から着脱可能にすることにより、カットテープを巻つける際や糊付け作業終了後の洗浄の際に作業性が向上したが、後面側ツメステーについても、洗浄の際に脱離可能にすることの要望があった。
【００１０】
しかしながら、着脱可能にするためには、洗浄作業時には簡単な操作で離脱することが可能であり、糊付作業時には確実に固定することが可能でなければならない。尚且つ、糊付機械本体の強度を弱くすることがあってはならない。
【００１１】
本発明は、糊付機械本体の強度を弱くすることなく、洗浄作業時には簡単な操作で離脱することができ、尚且つ、糊付作業時には確実に固定することのできる後面側ツメステーを有する壁紙糊付機を得ることを目的とする。
【課題を解決するための手段】
【００１２】
請求項１に記載された発明に係る壁紙糊付機は、本体部内に配設された複数のロールによりシート状の壁装材を前記本体部の後部から内部に引き入れるとともに、本体内部の所定経路に沿って移動させ、前記本体部下方に配設された糊桶内の糊を糊付ロールで前記壁装材の裏面に連続的に塗布する壁紙糊付機であって、前記複数のロールのうち、前記糊付ロールと、該糊付ロールによって前記壁装材の裏面に塗布された糊を均す均しロールとの間に配設され、糊付けされた前記壁装材と前記糊付ロールとの再付着を防止する壁装材引き離し用のツメと、該引き離し用のツメを支持する糊付ロール用ツメステーとを供えた壁紙糊付機において、
前記糊付ロール用ツメステーの両端部を下方から支持する一対の支持受部が前記本体部に配設され、
前記均しロールの両端部を前記本体部に着脱可能に支持する一対の支持部材の各々が、前記ツメステーの支持受部を各々上方から覆う突設片を備え、
前記一対の支持受部に支持されたツメステーの両端部が前記各突設片によって上方から固定されてなることを特徴とするものである。
【００１３】
請求項２に記載された発明に係る壁紙糊付機は、請求項１に記載の支持受部が糊付機本体部の側壁に固定された凹部状の部材を含むことを特徴とするものである。
【００１４】
請求項３に記載された発明に係る壁紙糊付機は、請求項１又は２に記載の均しロールの下流側に糊付けされた壁装材と前記均しロールとの再付着を防止する壁装材引き離し用のツメと、該引き離し用のツメを支持する均しロール用ツメステーとを更に備え、
前記均しロール用ツメステーの両端部が前記支持部材によって支持されていることを特徴とするものである。
【発明の効果】
【００１５】
本発明は、糊付機械本体の強度を弱くすることなく、洗浄作業時には簡単な操作で離脱することができ、尚且つ、糊付作業時には確実に固定することのできる後面側ツメステーを有する壁紙糊付機を得ることができるという効果がある。
【発明を実施するための最良の形態】
【００１６】
本発明においては、糊付ロール用ツメステーの両端部を下方から支持する一対の支持受部が前記本体部に配設され、均しロールの両端部を前記本体部に着脱可能に支持する一対の支持部材の各々が、前記ツメステーの支持受部を各々上方から覆う突設片を備え、前記一対の支持受部に支持されたツメステーの両端部が前記各突設片によって上方から固定されてなるものであるため、糊付機械本体の強度を弱くすることなく、洗浄作業時には簡単な操作で離脱することができ、尚且つ、糊付作業時には確実に固定することができる。
【００１７】
本発明における支持受部としては、糊付ロール用ツメステーの両端部を下方から支持するものであれば良く、例えば、糊付機本体の多数のローラーを軸止する軸受板の壁面上にステーを下から支える支持受部となる部材を固定したり、軸受板の一部を穿ってステーを下から支える支持受部として形成させても良い。より好ましくは、糊付機本体の強度を低下させないためには、軸受板の壁面上に支持受部を固定する方が好ましい。また、ステーを下から支える支持受部は突設片が上方から押さえた場合に、好ましくは前後方向にも移動しないように下方向だけでなく、前後方向にもステーを移動させないように軸受板又は突設片にステーを前後に移動させない係止部材を設ける。例えば、支持受部として凹部状の部材を軸受板に固定させたり、軸受板の一部を穿って凹部状の窪みを形成させたり、ツメステーの支持受部を覆うように突設された突設片にツメステーの側部が当接する当接辺を下垂させるように構成しても良い。
【００１８】
また、本発明における突設片としては、ツメステーの支持受部を覆うように突設されたものであれば良く、好ましくは、糊付時に壁紙糊付機の上部構体と下部構体とが一体となった際に、突設片がしっかりと支持受部材の上部を押さえつけるように構成されたものであればよい。
【００１９】
また、本発明の壁紙糊付機としては、好ましくは、均しロールの下流側に糊付けされた壁装材と前記均しロールとの再付着を防止する壁装材引き離し用のツメと、この引き離し用のツメを１個以上装着する均しロール用ツメステーとを備え、前記均しロール用ツメステーの両端部にはこのステーを横架支持する支持片が備わり、前記支持部材が前記支持片を支持しつつ本体部に配設されているものであれば、例えば、均しロールを糊付機本体から取り外す際に、均しロール用のツメステーも一緒に外すことができるため、カットテープを巻つける際や糊付け作業終了後の洗浄に際して作業性が向上する。また、洗浄の際には、糊付用ツメステーも取り外すことにより、洗浄に際して更に作業性が向上する利点がある。
【００２０】
尚、本発明の壁紙糊付機としては、自動壁紙糊付機及び手動壁紙糊付機の何れの均しロール及びこの均しロールの上流側の糊付ロール用ツメステー、更には、均しロールの下流側の均しロール用ツメステーに適用することができる。
【実施例】
【００２１】
図１は本発明の一実施例の構成を示す壁紙糊付機の本体側面透視図である。図２は図１の波線部分の要部の構成を示す説明図であり、ａ図は側面の軸受板の透視図であり、ｂ図は平面図である。図１に示す通り、本実施例の壁紙糊付機１１は、後部から引き入れたクロスＣを前方へ送り出しながらこのクロスＣの裏面に糊付けロール１８により連続的に糊を塗布する糊付機本体１１には、糊を収容する糊桶１４が設置される下部構体１２と、この下部構体１２に対して開閉可能に設置された上部構体１３とを備える。
【００２２】
下部構体１２内には、クロスＣを糊付機本体１１内に後部側から取り込むためのピンチロールを構成する送り出しロール１６と、糊桶１４内の糊を糊付ロール１８に転写する糊上げロール１５と、前記クロスＣ裏面に糊を転写塗布する糊付けロール１８と、この糊付けロール１８に接して糊量を調節するドクターロール１７と、クロスＣに適度な張力を与えて前部方向へ送り出す均しロール１９とが、互いにギアを介して連動可能にかつ所定間隔を持って平行に配列されるように糊桶１４の側板又はこれと平行な軸受板に軸支されている。更に、糊付ロール１８の下流側には糊付けされたクロスＣの糊付ロール１８への巻き込みを防止するクロス引き離し用のツメ２６を１個以上装着する糊付ロール用ツメステー２７が配設され、均しロール１９の下流側には糊付されたクロスＣの均しロール１９及び糊付機本体１１前面への再付着を防止するクロス引き離し用のツメ２８を１個以上装着する均しロール用ツメステー２９が配設されている。
【００２３】
一方、上部構体１３内には、送り出しロール１６と対になってピンチロールを構成する上側ピンチロール２０と、下部構体１２内に配列されているロールとギアを介して連動されクロスＣに糊付機本体１１前部方向への送り出し張力を付与するためのドライブロール２２と、これら上側ピンチロール２０とドライブロール２２との間でクロスＣを上から押さえる押さえステー２１とが、互いに所定間隔で平行に配列されるように、それぞれ上部構体の本体両側軸受フレームに軸支されている。
【００２４】
このような壁紙糊付機において、糊付ロール用ツメステー２７の両端縁は、図２に示す通り、軸受板２５に固定された一対の凹部状のツメステー支持受部１によって横架支持されている。また、均しロール１９の両端部は、軸受板２５をＵ字状に切欠いた切欠き２５ａに装着可能な係合部９ａを備えた均しロール支持部材９に軸止され、下部構体１２に固定されている。このロール支持部材９には、ツメステー２７の支持受部１を各々覆うように突設片９ｂが突設されている。この突設片９ｂによって、支持受部１に横架支持されたツメステー２７が上方から係止されている。ツメステー支持受部１の凹部１ａはツメステー２７の外形とほぼ合致し、下方及び前後方向へは動かない。このツメステー２７を上方から突設片９ｂが押さえることにより、ツメステー２７は糊付作業時には確実に固定することができる。尚且つ、洗浄作業時にはツメステー２７は上部構体から下部構体が開放されるため簡単に離脱することができる。
【００２５】
一対の均しロール支持部材９の前面下方には、ガイド孔９ｃが形成されている。この均しロール１９の下流側に配置された均しロール用ツメステー２９の両端部には、このステー２９を横架支持する支持片２９ａが備わり、前記ガイド孔９ｃに支持片２９ａを装着することにより、均しロール用ツメステー２９が支持部材９に固定される。尚、一対の支持部材９の内側壁面には、支持片２９ａをしっかりと固定するストッパー９ｄが各々形成されている。均しロール１９を糊付機１１の下部構体１２から取り外す際に、均しロール用ツメステー２９も一緒に外すことができるため、カットテープを巻つける際や糊付け作業終了後の洗浄に際して作業性が向上する利点がある。しかも均しロール用ツメステー２９も支持部材９より脱離することができるので、洗浄に際して、更に作業性が向上する。
【図面の簡単な説明】
【００２６】
【図１】本発明の一実施例の構成を示す壁紙糊付機の本体側面透視図である。
【図２】図１の波線部分の要部の構成を示す説明図であり、ａ図は側面の軸受板の透視図であり、ｂ図は平面図である。
【図３】従来の自動壁紙糊付機の全体構成を示す側面透視図である。
【符号の説明】
【００２７】
１  …ツメステー支持受部、
１ａ…凹部、
９  …均しロール支持部材、
９ａ…係合部、
９ｂ…突設片、
９ｃ…ガイド孔、
９ｄ…ストッパー、
１１  …壁紙糊付機本体、
１２  …下部構体、
１３  …上部構体、
１４  …糊桶、
１５  …糊上げロール、
１６  …送り出しロール、
１７  …ドクターロール、
１８  …糊付けロール、
１９  …均しロール、
２０  …上側ピンチロール、
２１  …押さえステー、
２２  …ドライブロール、
２５  …軸受板、
２５ａ…切欠き、
２６  …クロス引き離し用のツメ、
２７  …糊付ロール用ツメステー、
２８  …クロス引き離し用のツメ、
２９  …均しロール用ツメステー、
２９ａ…支持片、
Ｃ  …クロス、
【図１】
2005041154.tif 000003
【図２】
2005041154.tif 000004
【図３】
2005041154.tif 000005